(57)【要約】【課題】  装置本体からのカードの飛び出しを確実に防止するとともに、カードが落下した際のカードの保護性能を向上させる。【解決手段】  カード２００の少なくとも一部を覆うカードカバー１０６を備え、カード２００とイジェクタ部材１０４を互いに係わった状態で挿抜方向と異なる非挿抜方向へ相対的に移動自在に構成し、カードカバー１０６に突起１２８を設けるとともにイジェクタ部材１０４に突起１２８と係脱自在な穴部１３０を設け、カード２００が装置本体３００に挿入されてイジェクタ部材１０４が固定位置へ移動する際にイジェクタ部材１０４がカード２００に対して非挿抜方向一方側へ移動して突起１２８と穴部１３０とが係合し、固定位置からカード２００及びイジェクタ部材１０４が抜脱方向へ移動した状態でイジェクタ部材１０４がカード２００に対して非挿抜方向他方側へ移動すると突起１２８と穴部１３０との係合が解除されるよう構成した。【選択図】  図１
2006310094.tif 000002
【特許請求の範囲】
【請求項１】
カードを挿抜自在に固定する装置本体に前記カードの挿抜方向へ移動自在となるよう設けられ、前記カードの挿抜時に前記カードと係わって前記カードとともに挿抜方向へ移動し、前記装置本体における所定の固定位置で前記カードとともに固定されるイジェクタ部材と、
前記カードの少なくとも一部を覆うカードカバーと、を備え、
前記カードと前記イジェクタ部材を、互いに係わった状態で、前記挿抜方向と異なる非挿抜方向へ相対的に移動自在に構成し、
前記カードカバーに係合部を設けるとともに、前記イジェクタ部材に前記係合部と係脱自在な被係合部を設け、
前記カードが前記装置本体に挿入されて前記イジェクタ部材が前記固定位置へ移動する際に、前記イジェクタ部材が前記カードに対して非挿抜方向一方側へ移動して前記係合部と前記被係合部とが係合し、
前記固定位置から前記カード及び前記イジェクタ部材が抜脱方向へ移動した状態で、前記イジェクタ部材が前記カードに対して非挿抜方向他方側へ移動すると前記係合部と前記被係合部との係合が解除されるよう構成したことを特徴とするカード脱着機構。
【請求項２】
前記非挿抜方向は、略上下方向であり、
前記固定位置から前記カード及び前記イジェクタ部材が抜脱方向へ移動した状態で、前記イジェクタ部材が自重により下側へ移動することを特徴とする請求項１に記載のカード脱着機構。
【請求項３】
前記装置本体に形成され、前記イジェクタ部材と摺接して前記カードの挿入時に該イジェクタ部材を非挿抜方向一方側へ移動させる摺接部を備えたことを特徴とする請求項１または２に記載のカード脱着機構。
【請求項４】
前記係合部と前記被係合部の一方は突起であり、
前記係合部と前記被係合部の他方は前記突起を受容する穴部であることを特徴とする請求項１から３のいずれか一項に記載のカード脱着機構。
【請求項５】
前記イジェクタ部材を前記カードの抜脱方向へ付勢する付勢部材と、
前記イジェクタ部材に形成されたハートカム溝と、
前記ハートカム溝の内部を移動するカムピンと、を有することを特徴とする請求項１から４のいずれか一項に記載のカード脱着機構。
【発明の詳細な説明】
【技術分野】
【０００１】
本発明は、カードを装置本体へ挿抜自在に固定するためのカード脱着機構に関する。
【背景技術】
【０００２】
従来から、携帯電話、パーソナルコンピュータ等の電子機器装置には、記憶媒体としてＩＣカード、メモリカード等のカードが用いられる。カードは挿抜自在に装置本体に固定され、所定のカードの固定位置にて情報の読み込み、書き込み等が行われる。
【０００３】
装置本体には、カードの挿抜時にカードと係わってカードとともに挿抜方向へ移動するイジェクタ部材が備えられる。イジェクタ部材にはハートカム溝が形成され、装置本体にはハートカム溝の内部を移動するカムピンが配設される。イジェクタ部材はコイルばね等の付勢部材により抜脱方向へ付勢される。
【０００４】
このカード脱着機構では、使用者がカードを装置本体へ挿入すると、まずイジェクタ部材とカードが係わる。そして、付勢部材の付勢力に抗してカードを装置本体の最深部まで挿入した後、付勢力によりカードが僅かに抜脱方向へ移動したところで、ハートカム溝とカムピンの動作によりイジェクタ部材は固定位置にロックされる。この状態から、使用者が固定位置からカードを再度挿入方向へ移動させると、付勢部材の付勢力によりカードが装置本体から所定量だけ排出された抜脱位置まで移動する。
【０００５】
ここで、イジェクタ部材は付勢部材により抜脱方向に付勢されており、カードのロックを解除する際、固定位置から抜脱位置までイジェクタ部材及びカードが勢いよく移動すると、勢い余ってカードが飛び出してしまうという問題点がある。この問題点を解消するため、カードに切欠を形成しておき、イジェクタ部材に切欠に対応する突起を設けたものが提案されている。突起は傾斜面を有する山型に形成され、カードの脱着に支障をきたすことのないよう構成されている。
【特許文献１】特開２００５−２６０１６号公報
【発明の開示】
【発明が解決しようとする課題】
【０００６】
しかしながら、前記カード脱着機構では、カードの抜脱に支障をきたさずに突起が切欠部分を乗り越えるようになっているため、カードの飛び出しを十分に抑止することができない。ここで、カードの飛び出しを十分に抑止すべく突起を大型としたり矩形状に形成したりすると、突起が切欠に引っかかり易くなり、逆にカードの抜脱に支障をきたすこととなる。
【０００７】
そして、前記カード脱着機構では、カードに何ら保護部材が設けられていないことから、カードの飛び出し等によりカードが落下すると、カードに直接衝撃が加わることになり、カードの保護に欠けるという課題も有している。
【０００８】
本発明は、前記事情に鑑みてなされたものであり、装置本体からのカードの飛び出しを確実に防止するとともに、カードが落下した際のカードの保護性能を向上させたカード脱着機構を提供するものである。
【課題を解決するための手段】
【０００９】
上記課題を解決する本発明では、カードを挿抜自在に固定する装置本体に前記カードの挿抜方向へ移動自在となるよう設けられ、前記カードの挿抜時に前記カードと係わって前記カードとともに挿抜方向へ移動し、前記装置本体における所定の固定位置で前記カードとともに固定されるイジェクタ部材と、前記カードの少なくとも一部を覆うカードカバーと、を備え、前記カードと前記イジェクタ部材を、互いに係わった状態で、前記挿抜方向と異なる非挿抜方向へ相対的に移動自在に構成し、前記カードカバーに係合部を設けるとともに、前記イジェクタ部材に前記係合部と係脱自在な被係合部を設け、前記カードが前記装置本体に挿入されて前記イジェクタ部材が前記固定位置へ移動する際に、前記イジェクタ部材が前記カードに対して非挿抜方向一方側へ移動して前記係合部と前記被係合部とが係合し、前記固定位置から前記カード及び前記イジェクタ部材が抜脱方向へ移動した状態で、前記イジェクタ部材が前記カードに対して非挿抜方向他方側へ移動すると前記係合部と前記被係合部との係合が解除されるよう構成したことを特徴とする。
【００１０】
本発明によれば、カードに少なくとも一部を覆うカードカバーが装着され、このカードカバーにイジェクタ部材の被係合部と係脱自在の係合部が設けられる。そして、カードが装置本体に挿入されると、カードとイジェクタ部材が係わった状態で、イジェクタ部材が固定位置へ向かって移動する。そして、イジェクタ部材が固定位置へ移動する際に、カードがイジェクタ部材に対して非挿抜方向一方側へ移動して係合部と被係合部とが係合する。
【００１１】
これにより、カード及びイジェクタ部材が固定位置から抜脱方向へ勢いよく移動したとしても、係合部と被係合部とが係合した状態であるので、カードがイジェクタ部材から離脱して慣性により装置本体から飛び出すことはない。この結果、カードの装置本体からの飛び出しを確実に防止することができる。
【００１２】
そして、固定位置からカード及びイジェクタ部材が抜脱方向へ移動した状態で、カードがイジェクタ部材に対して非挿抜方向他方側へ移動すると係合部と被係合部の係合が解除され、カードがイジェクタ部材から離脱可能な状態となる。
【００１３】
また、カードはカードカバーにより少なくとも一部が覆われるので、カードの本体部分へ直接的に外部からの力が作用し難く、落下等による衝撃が緩和されるし、カードの本体部分にまで損傷が及び難くなる。
【発明の効果】
【００１４】
このように、本発明によれば、カードカバーに係合部を設けるとともに、イジェクタ部材に被係合部を設けたので、これらの係合により装置本体からのカードの飛び出しを確実に防止することができる。また、カードがカードカバーにより少なくとも一部が覆われることから、カードが落下した際のカードの保護性能を向上させることができる。
【発明を実施するための最良の形態】
【００１５】
図面を参照しつつ、本発明によるカード脱着機構の好適な実施形態について詳細に説明する。尚、図面の説明においては、同一要素には同一符号を付し、重複する説明を省略する。
図１から図１０は本発明の一実施形態を示すものであり、図１は装置本体からカードが外れた状態のカード脱着機構の斜視説明図、図２はモールド部と金属板の分解斜視図、図３はカードが固定位置へ到達した状態を示すカード脱着機構の斜視説明図、図４はイジェクタ部材の外観斜視図、図５はイジェクタ部材の外観斜視図、図６はカードカバーの外観斜視図、図７はモールド部の外観斜視図、図８はカード挿入時のカード脱着機構の縦断面図、図９はカードが固定位置へ到達した状態のカード脱着機構の縦断面図、図１０は突起と穴部が係合した状態でカードが抜脱方向へ移動した状態のカード脱着機構の縦断面図である。以下、カード脱着機構について詳述するが、理解を容易とするため、カードの挿入方向を前方向、カードの抜脱方向を後方向として説明する。
【００１６】
図１に示すように、このカード脱着機構は、カード２００を装置本体３００へ挿抜自在に固定するためのもので、装置本体３００に設置されカード２００を受容する上方が開放されたモールド部１００と、このモールド部１００の上部を閉塞する金属板１０２と、を備えている。
図２に示すように、カード脱着機構は、カード２００を挿抜自在に固定する装置本体３００にモールド部１００を介して設けられるイジェクタ部材１０４を備えている。このイジェクタ部材１０４は、カード２００の挿抜方向へ移動自在となるよう設けられており、カード２００の挿抜時にカード２００と係わってカード２００とともに挿抜方向へ移動し、装置本体３００における所定の固定位置でカード２００とともに固定される。さらに、図１に示すように、カード脱着機構は、カード２００の少なくとも一部を覆うカードカバー１０６を備えている。
【００１７】
図２に示すように、モールド部１００は、略矩形の平板状のベース部１０８と、ベース部１０８におけるカード２００の挿入方向奥側に配されたコネクタ端子１１０とを有する。このコネクタ端子１１０は、例えば、ベース部１０８と一体に成形されたものであってもよいし、ベース部１０８に形成された穴に圧入されるものであってもよい。コネクタ端子１１０は装置本体３００側に電気的に接続されており、図３に示すようにイジェクタ部材１０４及びカード２００が前述の固定位置へ到達すると、カード２００の記憶部と装置本体３００側で情報の送受が可能な状態となる。また、コネクタ端子１１０はカード２００の検出機能も有しており、カード２００が固定位置へ到達すると、所定の信号を装置本体３００側へ出力する。
【００１８】
図２に示すように、ベース部１０８の前端及び左右両端には、上方へ延びる壁部１１２が形成される。そして、略矩形の平板状の金属板１０２が壁部１１２の上端と接続され、モールド部１００及び金属板１０２により後部が開放されカード２００を挿入可能な袋状部をなす。
【００１９】
ベース部１０８の左側の壁部１１２は一部が欠けており、この欠けた部分にカムピン１１４が配置される。このカムピン１１４は、イジェクタ部材１０４の左側に形成されたハートカム溝１１６（図４参照）の内部を移動する。ハートカム溝１１６とカムピン１１４により、イジェクタ部材１０４及びカード２００は固定位置でロックされ、固定位置から抜脱方向へ移動した状態でカード２００のイジェクタ部材１０４からの離脱が許容される。
【００２０】
図４に示すように、イジェクタ部材１０４の前端には、カード２００の挿抜時にカード２００の前端左側と当接する係止部１１８が形成される。イジェクタ部材１０４の後端側には、カード２００の挿抜時にカード２００の左側部に形成された切欠部２０２を保持する保持爪１２０が形成される。
【００２１】
また、図２に示すように、イジェクタ部材１０４は付勢部材としてのコイルばね１２２により、常時、カード２００の抜脱方向側へ付勢されている。図５に示すように、イジェクタ部材１０４の下側には、前後に延びる穴状のばね受容部１２４が形成されており、ばね受容部１２４内でコイルばね１２２は伸縮が可能となっている。コイルばね１２２の前端はモールド部１００の前側の壁部１１２に係止し、コイルばね１２２の後端はイジェクタ部材１０４のばね受容部１２４の後端部分に形成されるばね受け部１２６に係止する。
【００２２】
また、図４に示すように、イジェクタ部材１０４の上部には、カードカバー１０６に形成された突起１２８と係脱自在の穴部１３０が形成される。穴部１３０は上面視で略円形に形成されており、突起１２８を受容した状態で、カード２００のイジェクタ部材１０４に対する水平方向の移動が阻止される。
【００２３】
ここで、カードカバー１０６について説明する。
図１に示すように、カードカバー１０６は、上面視でカード２００の後端及び左端に沿う略Ｌ字の平板状に形成されている。また、図６に示すように、カードカバー１０６の後部には、カード２００後端の側部に沿うよう下方へ延びるフランジ部１３２が形成される。すなわち、カードカバー１０６は、カード２００の後端側及び左端側を上側から覆うとともに、カード２００後端の側部を覆う。
【００２４】
カードカバー１０６の前端には、左方へ僅かに延びる延出部１３４が形成される。この延出部１３４の下面に前述の突起１２８が形成される。この突起１２８は上面視にて略円形に形成される。ここで、カード２００の左端前側は切り欠かれていることから、上面視にて、カードカバー１０６の延出部１３４がカード２００から突出した状態となっている。
【００２５】
さらに、図４に示すように、イジェクタ部材１０４の前端下部には、前上がり傾斜した傾斜面１３６が形成されている。この傾斜面１３６は、イジェクタ部材１０４が挿入方向へ移動した際に、モールド部１００のベース部１０８の左端前側に形成された摺接部１３８と摺接する。図７に示すように、摺接部１３８はベース部１０８から上方へ突出形成され、挿入方向奥側（前側）が略平坦に、挿入方向手前側（後側）が前上がりに傾斜して形成されている。これにより、イジェクタ部材１０４は、挿入方向へ移動すると摺接部１３８と摺接して上方へ移動する。
【００２６】
ここで、イジェクタ部材１０４は、モールド部１００及び金属板１０２の内部を上下に移動可能となっている。尚、図７に示すように、モールド部１００のベース部１０８には、イジェクタ部材１０４が嵌り込む孔１４０が形成されており、イジェクタ部材１０４の上下ストロークが十分に確保されるとともに、カード脱着機構の薄型化が図られている。
【００２７】
そして、カード２００とイジェクタ部材１０４は、図８に示すように互いに係わった状態で、挿抜方向（前後方向）と異なる非挿抜方向（上下方向）へ相対的に移動自在となっている。カード２００の前端がイジェクタ部材１０４の係止部１１８と係わった状態で、イジェクタ部材１０４がカード２００に対して上方へ移動すると、係合部としての突起１２８と被係合部としての穴部１３０とが係合する（図９参照）。この逆に、カード２００の前端がイジェクタ部材１０４の係止部１１８と係わった状態で、イジェクタ部材１０４がカード２００に対して下方へ移動すると、突起１２８と穴部１３０との係合が解除される（図８参照）。
【００２８】
以上のように構成されたカード脱着機構におけるカード挿入及び抜脱時の動作について説明する。
【００２９】
カード２００が装置本体３００に挿入されると、図８に示すように、まずイジェクタ部材１０４とカード２００が係わる。そして、カード２００とイジェクタ部材１０４が係わった状態で、イジェクタ部材１０４はコイルばね１２２の付勢力に抗して挿入方向最深部へ移動する。このとき、図９に示すように、摺接部１３８との摺接によりイジェクタ部材１０４が上方へ移動することから、カードカバー１０６の突起１２８とイジェクタ部材１０４の穴部１３０とが係合する。
【００３０】
イジェクタ部材１０４は、最深部へ移動した後に、コイルばね１２２の付勢力によりカード２００が僅かに抜脱方向へ移動したところで、ハートカム溝１１６とカムピン１１４の動作により固定位置にロックされる。固定位置では、イジェクタ部材１０４が摺接部１３８と摺接した状態であり、イジェクタ部材１０４のベース部１０８に対する高さが維持されることから、突起１２８と穴部１３０との係合が維持される。
【００３１】
そして、固定位置からカード２００及びイジェクタ部材１０４が抜脱方向へ移動すると、イジェクタ部材１０４が摺接部１３８との摺接区間から抜け、イジェクタ部材１０４は自重によりベース部１０８の孔１４０に落ち込む。これにより、図８に示すように、イジェクタ部材１０４はカード２００に対して下方へ移動し、突起１２８が穴部１３０から抜ける。このように、突起１２８と穴部１３０の係合が解除され、カード２００がイジェクタ部材１０４から離脱可能な状態となる。
【００３２】
ここで、カード２００及びイジェクタ部材１０４が固定位置から抜脱方向へ勢いよく移動したとしても、イジェクタ部材１０４が下方へ移動しておらず、図１０に示すように突起１２８と穴部１３０とが係合した状態であるので、カード２００がイジェクタ部材１０４から離脱して慣性により装置本体３００から飛び出すことはない。この結果、カード２００の装置本体３００からの飛び出しを確実に防止することができる。
【００３３】
また、本実施形態のカード脱着機構によれば、カード２００はカードカバー１０６により少なくとも一部が覆われるので、カード２００の本体部分へ直接的に外部からの力が作用し難く、落下等による衝撃が緩和されるし、カード２００の本体部分にまで損傷が及び難くなる。
【００３４】
特に本実施形態においては、抜脱方向の先頭側となるカード２００の後部を覆うようにしたので、カードが落下した際のカードの保護性能を効果的に向上させることができる。また、使用者はカードカバー１０６を把持してカード２００を取り扱うことができ、実用に際して極めて便利である。
【００３５】
また、本実施形態のカード脱着機構によれば、イジェクタ部材１０４が自重により下方へ移動するようにしたので、係合解除動作のための機構等を別途設ける必要がないので部品点数を少なくすることができるし、突起１２８と穴部１３０の係合解除動作を確実に行わせることができる。
【００３６】
また、本実施形態のカード脱着機構によれば、装置本体３００側に形成された摺接部１３８によりイジェクタ部材１０４を上方へ移動させるようにしたので、例えばリンク機構等を介在させてイジェクタ部材１０４の上昇若しくはカード２００の下降を行うものに比べて、イジェクタ部材１０４とカード２００との相対移動を確実に行わせることができる。
【００３７】
また、本実施形態のカード脱着機構によれば、突起１２８と穴部１３０により係合部及び被係合部を構成したので、カードカバー１０６及びイジェクタ部材１０４の加工が簡単容易である。
【００３８】
尚、前記実施形態においては、装置本体３００にモールド部１００及び金属板１０２を固定し、モールド部１００を介してイジェクタ部材１０４が装置本体３００に設けられたものを示したが、装置本体３００にイジェクタ部材１０４が直接設けられたものであってもよい。
【００３９】
また、前記実施形態においては、カードカバー１０６に突起１２８を形成し、イジェクタ部材１０４に穴部１３０を形成したものを示したが、イジェクタ部材１０４に突起１２８が形成され、カードカバー１０６に穴部１３０が形成されたものであってもよい。また、係合部と被係合部は突起と穴部の組み合わせに限定されず、例えば爪と切欠のような組み合わせであってもよく、互いに係脱自在であれば係合部と被係合部の形状、構造等は任意である。
【００４０】
また、カード２００とイジェクタ部材１０４が互いに相対移動自在な非挿抜方向を上下方向としたものを示したが、例えば左右方向や所定軸まわりの回転方向であってもよい。要は、固定位置へ移動する際にイジェクタ部材１０４がカード２００に対して非挿抜方向一方側へ移動して係合部と被係合部が係合し、固定位置から抜脱方向へ移動した状態でイジェクタ部材１０４がカード２００に対して非挿抜方向他方側へ移動して係合部と被係合部の係合が解除されるようにすればよい。
【００４１】
また、例えば、図１１に示すように、カードカバー１０６に対応して金属板１０２に切欠１５０を形成してもよい。すなわち、カードカバー１０６と金属板１０２が干渉しないように、カードカバー１０６の移動軌跡に切欠１５０を形成することにより、モールド部１００と金属板１０２の袋状部を薄型に形成することができる。これにより、カードカバー１０６をカード２００に設けて、カード２００側全体として厚さが増したとしても、モールド部１００及び金属板１０２からなる袋状部も厚くなることはない。
【００４２】
また、前記実施形態においては、カードカバー１０６がカード２００の左側及び後側を覆うものを示したが、他の部分を覆うものであってもよい。さらに、カードカバー１０６がカード２００の一部を覆うものでなく、カードカバー１０６がカード２００のほぼ全部を覆うようなものであってもよい。
【００４３】
さらにまた、プッシュオン・プッシュオフタイプのハートカム機構を用いたカード脱着機構を示したが、例えば、レバーイジェクトタイプの脱着機構であっても本発明を適用可能なことは勿論であるし、その他、具体的な細部構造等についても適宜に変更可能であることは勿論である。
【図面の簡単な説明】
【００４４】
【図１】本発明の一実施形態を示す装置本体からカードが外れた状態のカード脱着機構の斜視説明図である。
【図２】モールド部と金属板の分解斜視図である。
【図３】カードが固定位置へ到達した状態を示すカード脱着機構の斜視説明図である。
【図４】イジェクタ部材の外観斜視図である。
【図５】イジェクタ部材の外観斜視図である。
【図６】カードカバーの外観斜視図である。
【図７】モールド部の外観斜視図である。
【図８】カード挿入時のカード脱着機構の縦断面図である。
【図９】カードが固定位置へ到達した状態のカード脱着機構の縦断面図である。
【図１０】突起と穴部が係合した状態でカードが抜脱方向へ移動した状態のカード脱着機構の縦断面図である。
【図１１】変形例を示す装置本体からカードが外れた状態のカード脱着機構の斜視説明図である。
【符号の説明】
【００４５】
１００    モールド部
１０２    金属板
１０４    イジェクタ部材
１０６    カードカバー
１０８    ベース部
１１０    コネクタ端子
１１２    壁部
１１４    カムピン
１１６    ハートカム溝
１１８    係止部
１２０    保持爪
１２４    受容部
１２６    部
１２８    突起
１３０    穴部
１３２    フランジ部
１３４    延出部
１３６    傾斜面
１３８    摺接部
１４０    孔
１５０    切欠
２００    カード
２０２    切欠部
３００    装置本体
【図１】
2006310094.tif 000003
【図２】
2006310094.tif 000004
【図３】
2006310094.tif 000005
【図４】
2006310094.tif 000006
【図５】
2006310094.tif 000007
【図６】
2006310094.tif 000008
【図７】
2006310094.tif 000009
【図８】
2006310094.tif 000010
【図９】
2006310094.tif 000011
【図１０】
2006310094.tif 000012
【図１１】
2006310094.tif 000013